(57)【要約】【課題】運転モードを選択する外気温度や室内温度を保管するメモリを有さずに、使用者の体感感覚に近い運転モードの自動選択に即応した空気調和装置を提供する。【解決手段】外気温度および室内温度に基づいて自動モード選択手段により自動モード選択テーブル３２で選択された運転モードＭＡと、使用者が好みに応じてマニュアル選択した運転モードＭＭとを比較し、運転モードＭＡと運転モードＭＭとが異なっていた場合、外気温度および室内温度で運転モードＭＭが選択される様、自動モード選択テーブル３２の外気温度設定値Ｔ０１〜Ｔ０３、室内温度設定値ＴＲ１〜ＴＲ３を補正する補正手段を備えることにより、次回の運転時から使用者の好みに応じた運転モードを自動モード選択手段で選択可能となるため、運転モードを選択する外気温度や室内温度を保管するメモリを有さずに、使用者の体感感覚に近い運転モードの自動選択に即応可能である。【選択図】      図５
2004271149.tif 000002
【特許請求の範囲】
【請求項１】
暖房、除湿および冷房の運転モードを含むデータテーブルを有し、外気温度と室内温度とに基づいて対応する運転モードを前記データテーブルより自動的に選択し運転させる自動モード選択手段と、前記運転モードを任意に選択し運転させるマニュアルモード選択手段とを備える空気調和装置の制御装置において、
前記マニュアルモード選択手段で前記運転モードを選択し運転させた場合、外気温度および室内温度に基づいて、前記データテーブルの外気温度設定値および室内温度設定値を補正する補正手段を備えたことを特徴とする空気調和装置の制御装置。
【請求項２】
前記補正手段は、前記マニュアルモード選択手段で前記運転モードが選択された時点の前記外気温度および前記室内温度に基づいて前記データテーブルの前記外気温度設定値および前記室内温度設定値を補正するものとしたことを特徴とする請求項１に記載の空気調和装置の制御装置。
【請求項３】
前記補正手段は、前記複数の外気温度設定値および前記複数の室内温度設定値のいずれかの外気温度設定値、または、室内温度設定値を補正することを特徴とする請求項１または２に記載の空気調和装置の制御装置。
【請求項４】
前記補正手段は、前記複数の外気温度設定値および前記複数の室内温度設定値のそれぞれを同時に補正することを特徴とする請求項１または２に記載の空気調和装置の制御装置。
【請求項５】
前記補正手段は、前記制御装置内へ季節毎に異なるデータテーブルを備え、それぞれのデータテーブルの補正を行なうものとしたことを特徴とする請求項１乃至４のいずれかに記載の空気調和装置の制御装置。
【発明の詳細な説明】
【０００１】
【発明の属する技術分野】
本発明は、冷房運転、暖房運転、除湿またはドライ運転などのいずれかの運転モードが、使用者の任意選択、或いは、制御装置内に備えたデータテーブルからの自動選択により決定する空気調和装置の制御装置に関する。
【０００２】
【従来の技術】
一般的に、この種の自動モード選択手段を備えた空気調和装置においては、例えば、外気温度および室内温度を検出する検出手段と、これら検出手段から出力される外気温度および室内温度に基づき運転モードを選択する選択手段とを備え、該運転モード選択手段によって運転モードが自動選択され、その運転モードによる動作制御を行わせるための信号が出力手段に与えられ、さらに、この出力手段を介して制御機能を司る駆動部を動作させる様に構成されている。
【０００３】
この様な構成において、従来では、自動モード選択手段における運転モード選択基準値は通常、不特定多数の使用者の体感温度感覚において快適とされる温度から総合的に求められた標準的な温度値に基づいて一義的に設定されており、この標準温度よりも外気温度または室内温度などが高ければ冷房運転モードが選択され、該標準温度よりも外気温度または室内温度などが低ければ暖房運転モードが選択される様になっていた。
【０００４】
ところで、現実には使用者が快適であると感じる気温には相当な個体差が存在するのは周知の通りである。したがって、上記従来例の様に不特定多数使用者の体感温度感覚に基づいて設定した温度値を運転モード選択基準値とした場合、個々の使用者の意図に反したモードで運転が行われることがあり、広範な使用者の個々の希望に沿う運転制御を実現したものとは言えなかった。
【０００５】
この様な問題点を改善するために、前記運転モード選択基準値を前記標準温度での選択基準値、前記標準温度より低めな温度での選択基準値、前記標準温度より高めな温度での選択基準値など複数の前記選択基準値を用意しておき、これら選択基準値のいずれかを選択できる様にして、前記使用者の好みに適した運転モードを自動選択させることが提案されていた（例えば、特許文献１参照）。
【０００６】
また、自動モード選択手段で選択される運転モードや、この運転モードを選択させる外気温度や室内温度などの各データを第１のメモリに記憶保管させ、前記使用者により選択された運転モードの外気温度や室内温度の各データを第２のメモリに記憶保管させて、前記自動モード選択手段での運転開始時に、前記第１のメモリと、前記第２のメモリとに保管された各データを比較し、該当する運転モードが前記第２のメモリ内に保管されていれば、この第２のメモリに保管された運転モードを選択して空調運転を行い、該当する運転モードが記憶されていなければ、第１のメモリに記憶された運転モードで運転を行わせて各使用者個々の好みに適した運転モードを自動選択させることも提案されていた（例えば、特許文献２参照）。
【０００７】
【特許文献１】
特開平０４−６１２５３号（第３−４頁、第３図）
【特許文献２】
特開平０６−８８６３７号（第２−３頁、第１−４図）
【０００８】
【発明が解決しようとする課題】
しかしながら、この様な先行技術例の場合、前記標準温度を基準として温度を若干上下させるものであるから、前記使用者の体感温度感覚の個人差に十分対応できるものとは言えなかった。また、前記自動モード選択手段での運転開始時、検出された外気温度や室内温度などの各データに該当する運転モードが、前記第２のメモリに記憶された運転モードの中にあれば、前記使用者が選択した前記運転モードを選択させる自動モード選択手段では、使用者の体感温度感覚の個人差に対応できるものとはなるが、前記使用者が選択した運転モードなどのデータを記憶させる第２のメモリが必要となっていた。さらに、前記第２のメモリに前記各データが保管されていなければ、前記自動モード選択手段で選択された運転モードでの運転が選択されてしまうため、前記使用者の体感温度感覚に十分対応できるまでには、ある一定の時間を要するものとなっていた。
【０００９】
そこで、本発明の目的は、この様な問題点を解決するためになされたもので、外気温度や室内温度などの各データを保管しておくこと無く、使用者の体感温度感覚に近い運転モードの自動選択に即応した空気調和装置の制御装置を提供することにある。
【００１０】
【課題を解決するための手段】
請求項１に記載の発明は、暖房、除湿および冷房の運転モードを含むデータテーブルを有し、外気温度と室内温度とに基づいて対応する運転モードを前記データテーブルより自動的に選択し運転させる自動モード選択手段と、前記運転モードを任意に選択し運転させるマニュアルモード選択手段とを備える空気調和装置の制御装置において、前記マニュアルモード選択手段で前記運転モードを選択し運転させた場合、外気温度および室内温度に基づいて、前記データテーブルの外気温度設定値および室内温度設定値を補正する補正手段を備えたことを特徴とするものである。
【００１１】
請求項２に記載の発明は、請求項１に記載のものにおいて、前記補正手段は、前記マニュアルモード選択手段で前記運転モードが選択された時点の前記外気温度および前記室内温度に基づいて前記データテーブルの前記外気温度設定値および前記室内温度設定値を補正するものとしたことを特徴とするものである。
【００１２】
請求項３に記載の発明は、請求項１または２に記載のものにおいて、前記補正手段は、前記複数の外気温度設定値および前記複数の室内温度設定値のいずれかの外気温度設定値、または、室内温度設定値を補正することを特徴とするものである。
【００１３】
請求項４に記載の発明は、請求項１または２に記載のものにおいて、前記補正手段は、前記複数の外気温度設定値および前記複数の室内温度設定値のそれぞれを同時に補正することを特徴とするものである。
【００１４】
請求項５に記載の発明は、請求項１乃至４のいずれかに記載のものにおいて、前記補正手段は、前記制御装置内へ季節毎に異なるデータテーブルを備え、それぞれのデータテーブルの補正を行うものとしたことを特徴とするものである。
【００１５】
【発明の実施の形態】
以下本発明の実施例を図面に基づいて説明する。
【００１６】
図１は、室内ユニットと室外ユニットとから成る空気調和装置の電気回路図である。この図において、１は１００〔Ｖ〕の商用交流電源であり、室内ユニットおよび室外ユニットへ交流電力を供給している。２はバリスタであり、サージ電圧を吸収する。３はコイル、４はチョークコイルでありバリスタ２とともにノイズフィルタを構成している。５はダイオードブリッジであり、単相の商用交流を全波整流してインバータブリッジ６へ出力する。この際、倍電圧整流回路７によって実効値１００〔Ｖ〕の交流電圧が約２８０〔Ｖ〕の直流電圧に変換された後、インバータブリッジ６へ供給される。このインバータブリッジ６は、６個のスイッチング素子を三相ブリッジ状に接続したものであり、スイッチング素子がＰＷＭ理論に基づいてＯＮ／ＯＦＦし圧縮機８へ三相の擬似正弦波を出力するものである。
【００１７】
９は直流検出回路であり、直流トランス（ＣＴ）１０が検出した交流電流を直流電圧に変換して室外制御部１１のＡ／Ｄ（アナログ／デジタル）入力ポートへ印加する。室外制御部１１は電流検出回路９が検出した電流が所定電流を越えないように圧縮機８に供給する疑似正弦波の周波数を補正する。
【００１８】
１２は圧縮機温度センサであり、圧縮機８の温度を検出する。室外制御部１１は、この温度を温度検出回路を介して入力し前記と同様に温度が所定温度を越えないように圧縮機に供給する疑似正弦波の周波数を補正する。
【００１９】
１３は室外インターフェースであり、室内ユニットの室内制御部２０と室外ユニットの室外制御部１１との間のデータの送受信を行なうものである。室内ユニットからは冷房運転、暖房運転、除湿運転の運転信号や圧縮機８に供給する三相疑似正弦波の周波数を決める信号などが送られて来る。また外気温度センサ１９の検出した外気温度データや異常発生時の異常を示すデータなどを室内ユニットへ送信する。
【００２０】
１４は信号増幅回路であり、室外制御部１１から出力されたＯＮ／ＯＦＦ信号をインバータブリッジ６のスイッチング素子を駆動できる大きさまで電力増幅する。尚、ＰＷＭ理論に基づくスイッチング信号は周波数信号に基づいて室外制御部１１が生成するものである。
【００２１】
１５，１６は夫々、リレー接片、フォトトライアックであり、室外制御部１１によって制御される。１７は四方弁であり、１８は室外熱交換器用の室外送風機である。四方弁を切換えることによって冷房運転用の冷媒サイクルと暖房運転用の冷媒サイクルとに切換えられる。室外送風機１８の回転数は外気温度の変化によって変えられ、その方法はフォトトライアックの点弧角を変えて行われる。
【００２２】
２０は室内ユニットの制御を行なう室内制御部である。この室内制御部２０は室外制御部１１との間でインターフェース２１を介して前記したデータの送受を行なう。２２は常開接片であり、リレー２３でその開閉動作が制御される。室内制御部２０は空調運転を行なう際にリレー２３に通電して接片２２を閉じ室外ユニットへ電力を供給する。尚、接片２２が開いている時は、同時にインターフェース２１が信号の送受を遮断して、室外ユニットへ信号が行かないようにしている。
【００２３】
２４は室内温度センサであり、被調和室の温度を検出する。室内制御部２０は室内温度センサ２４の検出した室内温度と希望温度とから圧縮機８に供給する疑似正弦波の周波数の増減値を求め、新たな周波数信号を室外ユニットに送信する。この周波数の増減値を求める方法としてはＰＩＤ制御やファジイ制御などがある。
【００２４】
２５は入力回路であり、運転データの設定を行なう。この運転データは、リモコンなどを用いている場合はワイヤレス信号でリモコンから送信され、この入力回路で受信する。
【００２５】
２６，２７は送風用のファンモータ、風向を変えるフラップ駆動用のモータであり、モータコントローラ２８，２９によって制御される。３０は電源回路であり、室内ユニット内に直流電力を供給している。
【００２６】
室内制御部２０には、例えば、図２に示す様に、ファンモータ２６の回転数や、フラップ駆動用モータの回転角を制御すると共に、内部に時計、カレンダーを備えたコントローラ３１と、冷房運転、暖房運転などの運転モードを自動に選択させるための自動モード選択テーブル（データテーブル）３２とが設けられている。
【００２７】
また、室内制御部２０のコントローラ３１には、前記外気温度や室内温度により、前記自動モード選択テーブル３２から運転モードが自動に選択される機能を自動モード選択手段と、使用者が前記リモコンなどを操作して、任意に運転モードを選択できる機能をマニュアルモード選択手段とが備えられている。
【００２８】
前記自動モード選択手段では、外気温度と、前記室内温度とに基づいて前記自動モード選択テーブル３２に設定されているいずれかの運転モードを選択する様になっており、この自動モード選択テーブルは、図３に示す様に、複数の室内温度設定値ＴＲ１、ＴＲ２、ＴＲ３および複数の外気温度設定値Ｔ０１、Ｔ０２、Ｔ０３とを用いて複数の温度ゾーンが設定されたデータテーブルとなっている。例えば、外気温度が、１８℃未満となっていたならば、室内温度に関わらず暖房モードが選択され、前記外気温度が１８℃以上２０℃未満となっていたならば、室内温度が、２２℃未満であれば、暖房モードが選択され、２２℃以上であれば、除湿モードが選択される様になっている。
【００２９】
ところで、本発明は、上記自動モード選択手段で使用される上記自動モード選択テーブル３２の前記外気温度設定値、および、前記室内温度設定値を、マニュアルモード選択手段で使用者により任意に選択された運転モードと、前記運転モードが選択された時点での外気温度と、室内温度とに基づいて前記自動モード選択テーブル３２の補正を行い、使用者の好みに適した自動モード選択手段を実現するものであり、例えば、外気温度が１９℃で、室内温度が２２℃となっていた場合、前記自動モード選択手段では、自動モード選択テーブル３２から除湿モードが選択されるものとなっているが、使用者が、マニュアルモード選択手段で暖房モードを選択した場合には、自動モード選択テーブル３２を補正し、次回、上記と同じ外気温度が１９℃で、室内温度が２２℃の場合、上記前記使用者が自動モード選択手段で運転を行っても暖房モードの運転モードが選択される様にするものである。
【００３０】
その前に、自動モード選択手段およびマニュアルモード選択手段による運転モードの選択動作について説明する。なお、説明の混乱を防ぐため、空気調和装置が実際に運転する運転モードを運転モードＭとし、自動モード選択手段により選択された運転モードを運転モードＭＡ、マニュアルモード選択手段により使用者が任意に選択した運転モードを運転モードＭＭとして以下の説明を行なう。図４のフローチャートに示す様に、ステップＳ１で空気調和装置の停止が判断されると、このステップＳ１の判断を繰り返し、運転開始が判断されると、ステップＳ２で、室外ユニットの外気温度センサ１９で検出された外気温度の受信と、室内温度センサ２４での室内温度の検出とが行われる。
【００３１】
ステップＳ３では、上記運転開始が、電源投入後最初の運転開始であるか否かの判断が行われ、前記電源投入後最初の運転開始であればステップ５へと進み、前記電源投入後最初の運転開始でなければ、ステップＳ４で停止時間が所定時間（例えば、４時間）を経過しているか否かの判断が行われる。このステップＳ４で前記停止時間が前記所定時間以上経過していないと判断されると、ステップＳ６へ進み、前記所定時間以上経過していると判断されると、ステップＳ５で自動モード選択テーブル３２から運転モードＭＡが選択される。
【００３２】
この空気調和装置が前記所定時間以上停止しているか否かを判断する理由は、空気調和装置の運転停止後間もなく、再度、運転開始が行われた場合では、外気温度や室内温度の温度条件が、あまり変化していないと考えられるため、前回運転の運転モードＭで空気調和装置を運転開始させても問題ないが、停止が長時間である前記所定時間を経過していた場合には、外気温度や室内温度が変化していると考えられるため、前回選択された運転モードＭとは異なる運転モードＭでの運転が必要とされる可能性が高いからである。このため、停止時間が所定時間（例えば、４時間）以上経過していた場合、再度、運転モードＭＡに選択し直す様にしている。
【００３３】
そして、ステップ６で、運転モードＭの選択が自動モード選択手段であるか、或いは、使用者が任意に選択するマニュアルモード選択手段であるかが判断され、自動モード選択手段であれば、ステップＳ７へ進んで上記ステップＳ５で選択された運転モードＭＡを運転モードＭとして空調運転が開始され、マニュアルモード選択手段機能であれば、ステップＳ８へ進んで、前記使用者が任意に選択した運転モードＭＭを運転モードＭとして空調運転が開始されることとなる。
【００３４】
次に、前記自動モード選択テーブル３２を補正する補正手段について説明する。図５のフローチャートに示す様に、まず、ステップＳ１０でマニュアルモード選択手段での運転開始が行われたか否かが判断され、マニュアルモード選択手段での運転開始であれば、ステップＳ１２へと進み、自動モード選択手段での運転開始であれば、ステップＳ１１へと進み、マニュアルモード選択手段への選択変更が行われたか否かが判断される。ステップＳ１１で、マニュアルモード選択手段への選択変更が行われていないと判断されると、ステップＳ１０へと戻り、ステップＳ１０から再度繰り返される。
【００３５】
ステップＳ１１でマニュアルモード選択手段へ選択変更が行われたと判断すると、ステップＳ１２へと進み、前記選択変更が行われた時点での室内温度データと、外気温度データとが検出されるとともに、使用者が任意で選択した運転モードＭＭを一時的にメモリへ記憶させる。
【００３６】
次に、ステップＳ１３で、空気調和装置の運転開始後１時間以上経過しているか否かが判断され、経過していなければ、ステップＳ１７へと進み、経過していれば、ステップＳ１４で、前記室内温度と、前記外気温度とに基づいて自動モード選択テーブル３２より該当する運転モードＭＡが選択される。
【００３７】
そして、ステップＳ１５で、上記使用者が選択した運転モードＭＭと、自動モード選択テーブル３２から選択された運転モードＭＡとが比較される。この時、双方がともに、同じ運転モード、例えば、使用者により選択された運転モードＭＭが暖房モードで、自動モード選択テーブル３２から選択された運転モードＭＡが暖房モードであったとすれば、ステップＳ１７へと進み、異なる運転モード、例えば、使用者により選択された運転モードＭＭが暖房モードで、自動モード選択テーブル３２から選択された運転モードＭＡが除湿モードであったとすれば、ステップＳ１６で、自動モード選択テーブル３２の外気温度設定値Ｔ０１〜Ｔ０３、或いは、室内温度設定値ＴＲ１〜ＴＲ３を変更して、前記運転モードＭＡが運転モードＭＭと同じ暖房モードとして選択される様にする。
【００３８】
ステップＳ１７では、自動モード選択テーブル３２を初期化する指示があるか無いかが判断され、初期化の指示が無ければ、ステップＳ１０へと戻って、再度、このフローチャートを繰り返し、初期化の指示があれば、自動モード選択テーブル３２を初期化してステップＳ１０へと戻り、このフローチャートを繰り返す。
【００３９】
次に、自動モード選択テーブル３２の補正手段について説明する。図６に示す自動モード選択テーブル３２は、上記ステップＳ１０、Ｓ１１でマニュアルモード選択手段での運転開始、或いは、自動モード選択手段からマニュアルモード選択手段への機能変更が行われたとの判断が行われ、この時、外気温度データが１８．５℃、室内温度データが２３℃に相当する温度であったとすると、図６に示す自動モード選択テーブル３２上では点Ａの位置となる。
【００４０】
そして、ステップＳ１４では、当然のことながら運転モードＭＡとして除湿モードが選択される。この時、マニュアルモード選択手段により選択された運転モードＭＭが除湿モードであれば、上記ステップＳ１５では、運転モードＭＡと運転モードＭＭとが同じであるとして前記自動モード選択テーブル３２の補正は行われず、ステップＳ１７へと進むこととなるが、例えば、運転モードＭＭが暖房モードであった場合、ステップＳ１５で自動モード選択手段で選択された運転モードＭＡとマニュアルモード選択手段で選択された運転モードＭＭとが異なる運転モードであるとの判断が行われ、ステップＳ１６で、図６の矢印Ｘに示す様に、上記外気温度と室内温度との温度条件で、運転モードＭＭと同じ暖房モードが運転モードＭＡとして選択される様、例えば、外気温度設定値Ｔ０１を１９℃へと変更させる。これにより、次回、外気温度データが１９℃未満である時、前記使用者が、自動モード選択手段で運転を行っても、暖房モードが選択されることとなる。
【００４１】
同様に、例えば、外気温度が２１℃、室内温度が２６．５℃である時、自動モード選択テーブル３２上では、点Ｂの位置となり、自動モード選択手段では除湿モードが選択されるものとなっているが、使用者がマニュアルモード選択手段により、冷房モードを運転モードＭＭとして選択した場合には、ステップＳ１５で、運転モードＭＡの除湿モードと運転モードＭＭの冷房モードとで異なっているとの判断が行われ、ステップＳ１６で、図６の矢印Ｙに示す様に、上記外気温度と室内温度との温度条件で、運転モードＭＭと同じ冷房モードが運転モードＭＡとして選択される様、例えば、室内温度設定値ＴＲ３を２６℃へと変更させる。これにより、次回、外気温度データが２０℃以上、室内温度データが２６℃以上である時、前記使用者が、自動モード選択手段で運転を行っても、冷房モードが選択されることとなる。
【００４２】
なお、本実施の形態では、上述の様に、自動モード選択手段で選択された運転モードＭＡと、マニュアルモード選択手段で選択された運転モードＭＭとが異なるモードであった場合、室外温度設定値Ｔ０１〜Ｔ０３、或いは、室内温度設定値ＴＲ１〜ＴＲ３のいずれか一方の設定値を補正して、自動モード選択手段で選択される運転モードＭＡが、マニュアルモード選択手段で選択された運転モードＭＭと同じに成る様補正する補正手段として説明したが、特に、これに限るものではなく、室外温度設定値Ｔ０１〜Ｔ０３、および、室内温度設定値ＴＲ１〜ＴＲ３の双方を補正するものとしても良い。また、上記説明では、外気温度設定値Ｔ０１〜Ｔ０３および室内温度設定値ＴＲ１〜ＴＲ３のそれぞれを補正する様説明したが、これについても、外気温度設定値Ｔ０１〜Ｔ０３および室内温度設定値ＴＲ１〜ＴＲ３のそれぞれを同時に補正する補正手段としても良い。
【００４３】
また、自動モード選択テーブル３２は、１つで無く、春夏秋冬の４季分用意するものとしても良い。これにより、各季節毎に使用者の好みに適した運転モードの自動選択を行わせることが出来るため、さらに快適な空調運転を行わせることが可能となる。
【００４４】
さらに、本実施の形態では、自動モード選択テーブル３２の外気温度設定値Ｔ０１〜Ｔ０３および室内温度設定値ＴＲ１〜ＴＲ３を直接補正する様説明したが、室内制御部２０内へ補正テーブルを設け、この補正テーブルに前記外気温度および前記室内温度を補正する補正データを記憶させ、自動モード選択手段により運転モードＭＡを選択させる場合、前記外気温度および前記室内温度を前記補正テーブルを用いて補正し、前記自動モード選択テーブル３２から運転モードＭＡを選択させるものとしても良い。
【００４５】
【発明の効果】
以上の様に本発明の空気調和装置の制御装置では、使用者が好みに応じてマニュアルモード選択手段で選択した運転モードと、自動モード選択手段で選択された運転モードとが異なっていた場合、この自動モード選択手段で使用されるテーブルデータの外気温度設定値、および、室内温度設定値を補正する補正手段を備えているので、次回の運転時から前記使用者の好みに応じた運転モードを前記自動モード選択手段で選択可能となるため、運転モードを選択する外気温度や室内温度を保管するメモリを有さずに、使用者の体感温度感覚に近い運転モードの自動選択に即応させることができる。
【図面の簡単な説明】
【図１】空気調和装置の電気回路を示す要部ブロック図である。
【図２】室内制御部の要部ブロック図である。
【図３】自動モード選択テーブルを示した図である。
【図４】空気調和装置の運転モードＭ選択を示したフローチャートである。
【図５】本発明による補正手段の動作について示したフローチャートである。
【図６】本発明により補正される自動モード選択テーブルを示した図である。
【符号の説明】
１９  外気温度センサ
２０  室内制御部
２４  室内温度センサ
２５  入力回路
３１  コントローラ
３２  自動モード選択テーブル
Ｔ０１〜Ｔ０３  外気温度設定値
ＴＲ１〜ＴＲ３  室内温度設定値
【図１】
2004271149.tif 000003
【図２】
2004271149.tif 000004
【図３】
2004271149.tif 000005
【図４】
2004271149.tif 000006
【図５】
2004271149.tif 000007
【図６】
2004271149.tif 000008